【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
高効率ビデオコード化（ＨＥＶＣ）準拠ビデオデータに従ってビデオデータを復号する方法であって、前記方法は、
複数のピクチャのシンタックス要素データをピクチャコード化順序で復号することと、ここにおいて、前記シンタックス要素データが、前記複数のピクチャの各々が長期参照ピクチャ用として利用可能であることを示す、
ビデオデータのスライスのためのスライスヘッダを復号すること、ここにおいて、前記スライスヘッダが、前記複数のピクチャの長期参照ピクチャについての識別情報を備えるシンタックス要素を含み、
前記長期参照ピクチャが前記スライスヘッダ中で明示的に信号伝達されるか、又は前記スライスに対応するシーケンスパラメータセットから導出されるかどうかを決定することと、
前記長期参照ピクチャが明示的に信号伝達されとき、前記スライスヘッダを復号することが、前記スライスヘッダ中の前記長期参照ピクチャについての前記識別情報の値を復号することを更に備える、
前記長期参照ピクチャが前記シーケンスパラメータセットから受け継いだ長期参照ピクチャの数に等しいインデックス値を有するときインデックス値ｉを有する前記長期参照ピクチャのDeltaPocMSBCycleLt[i]の値がインデックス値ｉを有する前記長期参照ピクチャのシンタックス要素delta_poc_msb_cycle_ltの値に必ず等しいことを決定することと、
を備える方法。
【請求項２】
前記長期参照ピクチャが第１のピクチャを備え、前記方法は、
前記第１のピクチャに対応する第１の復号ピクチャを復号ピクチャバッファに記憶することと、
前記復号ピクチャバッファが、「参照のために使用される」とマークされ、前記第１のピクチャと同じピクチャ順序カウント（ＰＯＣ）の最下位ビット（ＬＳＢ）の値を有する、２つ以上の参照ピクチャを含んでいるとき、ここにおいて、前記識別情報を復号することが、第２のピクチャのスライスの前記スライスヘッダ中の１に等しい第１のシンタックス要素を復号することを更に備え、
前記復号ピクチャバッファが、「参照のために使用される」とマークされ、前記第１のピクチャと同じ前記ＰＯＣＬＳＢ値を有する、２つ以上のピクチャを含んでいないとき、ここにおいて、前記識別情報を復号することが、前記スライスヘッダ中の０に等しい前記第１のシンタックス要素を復号することを更に備え、
前記第１のシンタックス要素が１に等しいとき、前記識別情報を復号することが、前記第１のピクチャのＰＯＣ値の最上位ビット（ＭＳＢ）を示す第２のシンタックス要素を復号することを更に備え、
長期参照ピクチャとして前記第１のピクチャを使用して前記第２のピクチャを復号することと
を更に備える、請求項１に記載の方法。
【請求項３】
現在ピクチャの前記スライスヘッダ中のシンタックス要素を復号することと、ここにおいて、前記シンタックス要素は、前記複数のピクチャのそれぞれのピクチャ順序カウント（ＰＯＣ）値の最下位ビット（ＬＳＢ）の値が前記ピクチャコード化順序で非減少又は非増加のいずれかであるような、前記ＬＳＢの前記値を含む、
を更に備える、請求項１に記載の方法。
【請求項４】
前記ＬＳＢの前記値を復号することは、ｊ及びｋが、０から、前記シーケンスパラメータセットから導出された長期参照ピクチャの数−１までの範囲内の整数である場合、ｊ及びｋの任意の値について、前記スライスヘッダ中で信号伝達される参照ピクチャのリスト中の位置ｊにおける前記複数のピクチャの第１のピクチャの前記ＰＯＣ値の前記ＬＳＢが、参照ピクチャの前記リスト中の位置ｋにおける前記複数のピクチャの第２のピクチャの前記ＰＯＣ値の前記ＬＳＢ以上又は参照ピクチャの前記リスト中の位置ｋにおける前記複数のピクチャの第２のピクチャの前記ＰＯＣ値の前記ＬＳＢ以下であるように、前記ＬＳＢの前記値を復号することを備える、請求項３に記載の方法。
【請求項５】
長期参照ピクチャの前記数を示す情報を含む前記シーケンスパラメータセットを復号することを更に備える、請求項４に記載の方法。
【請求項６】
高効率ビデオコード化（ＨＥＶＣ）ビデオデータを符号化する方法であって、前記方法が、
複数のピクチャのシンタックス要素データをピクチャコード化順序で符号化することと、ここにおいて、前記シンタックス要素データが、前記複数のピクチャの各々が長期参照ピクチャ用として利用可能であることを示す、
ビデオデータのスライスのためのスライスヘッダを符号化すること、ここにおいて、前記スライスヘッダが、前記複数のピクチャの長期参照ピクチャについての識別情報を備えるシンタックス要素を含み、
前記長期参照ピクチャが前記スライスヘッダ中で明示的に信号伝達されるか、又は前記スライスに対応するシーケンスパラメータセットから導出されるかを決定することと、
前記長期参照ピクチャが明示的に信号伝達されることを示すとき、前記スライスヘッダを符号化することが、前記スライスヘッダ中の前記長期参照ピクチャについての前記識別情報の値を符号化することを更に備える、
前記長期参照ピクチャが前記シーケンスパラメータセットから受け継いだ長期参照ピクチャの数に等しいインデックス値を有するときインデックス値ｉを有する前記長期参照ピクチャのDeltaPocMSBCycleLt[i]の値がインデックス値ｉを有する前記長期参照ピクチャのシンタックス要素delta_poc_msb_cycle_ltの値に必ず等しいことを決定することと、
を備える、方法。
【請求項７】
前記長期参照ピクチャが第１のピクチャを備え、前記方法が、
前記第１のピクチャに対応する第１の復号ピクチャを復号ピクチャバッファに記憶することと、
前記復号ピクチャバッファが、「参照のために使用される」とマークされ、前記第１のピクチャと同じピクチャ順序カウント（ＰＯＣ）の最下位ビット（ＬＳＢ）の値を有する、２つ以上の参照ピクチャを含んでいるとき、ここにおいて、前記識別情報を符号化することが、第２のピクチャのスライスの前記スライスヘッダ中の１に等しい第１のシンタックス要素を符号化することを更に備え、
前記復号ピクチャバッファが、「参照のために使用される」とマークされ、前記第１のピクチャと同じ前記ＰＯＣＬＳＢ値を有する、２つ以上のピクチャを含んでいないとき、ここにおいて、前記識別情報を符号化することが、前記スライスヘッダ中の０に等しい前記第１のシンタックス要素を符号化することを更に備え、
前記第１のシンタックス要素が１に等しいとき、前記識別情報を符号化することが、前記第１のピクチャのＰＯＣ値の最上位ビット（ＭＳＢ）を示す第２のシンタックス要素を符号化することを更に備え、
長期参照ピクチャとして前記第１のピクチャを使用して前記第２のピクチャを符号化することと
を更に備える、請求項６に記載の方法。
【請求項８】
現在ピクチャの前記スライスヘッダ中のシンタックス要素を符号化することと、ここにおいて、前記シンタックス要素は、前記複数のピクチャのそれぞれのピクチャ順序カウント（ＰＯＣ）値の最下位ビット（ＬＳＢ）の値が前記ピクチャコード化順序で非減少又は非増加のいずれかであるような、前記ＬＳＢの前記値を含む、
を更に備える、請求項６に記載の方法。
【請求項９】
前記ＬＳＢの前記値を符号化することは、ｊ及びｋが、０から、前記シーケンスパラメータセットから導出された長期参照ピクチャの数−１までの範囲内の整数である場合、ｊ及びｋの任意の値について、前記スライスヘッダ中で信号伝達される参照ピクチャのリスト中の位置ｊにおける前記複数のピクチャの第１のピクチャの前記ＰＯＣ値の前記ＬＳＢが、参照ピクチャの前記リスト中の位置ｋにおける前記複数のピクチャの第２のピクチャの前記ＰＯＣ値の前記ＬＳＢ以上又は参照ピクチャの前記リスト中の位置ｋにおける前記複数のピクチャの第２のピクチャの前記ＰＯＣ値の前記ＬＳＢ以下になるように、前記ＬＳＢの前記値を符号化することを備える、請求項８に記載の方法。
【請求項１０】
長期参照ピクチャの前記数を示す情報を含む前記シーケンスパラメータセットを符号化することを更に備える、請求項９に記載の方法。
【請求項１１】
高効率ビデオコード化（ＨＥＶＣ）準拠ビデオデータに従ってビデオデータをコード化するための機器であって、前記機器は、
複数のピクチャのシンタックス要素データをピクチャコード化順序でコード化することと、ここにおいて、前記シンタックス要素データが、前記複数のピクチャの各々が長期参照ピクチャ用として利用可能であることを示す、
ビデオデータのスライスのためのスライスヘッダをコード化すること、ここにおいて、前記スライスヘッダが、前記複数のピクチャの長期参照ピクチャについての識別情報を備えるシンタックス要素を含み、
前記長期参照ピクチャが前記スライスヘッダ中で明示的に信号伝達されるか、又は前記スライスに対応するシーケンスパラメータセットから導出されるかを決定することと、
前記長期参照ピクチャが明示的に信号伝達されることを示すとき、前記スライスヘッダをコード化するために、前記機器が、前記スライスヘッダ中の前記長期参照ピクチャについての前記識別情報の値をコード化するように更に構成され、
前記長期参照ピクチャが前記シーケンスパラメータセットから受け継いだ長期参照ピクチャの数に等しいインデックス値を有するときインデックス値ｉを有する前記長期参照ピクチャのDeltaPocMSBCycleLt[i]の値がインデックス値ｉを有する前記長期参照ピクチャのシシンタックス要素delta_poc_msb_cycle_ltの値に必ず等しいことを決定することと、
を行うように構成されたＨＥＶＣビデオコーダを備える、
機器。
【請求項１２】
前記長期参照ピクチャが第１のピクチャを備え、前記機器は、
前記第１のピクチャに対応する第１の復号ピクチャを復号ピクチャバッファに記憶することと、
前記復号ピクチャバッファが、「参照のために使用される」とマークされ、前記第１のピクチャと同じピクチャ順序カウント（ＰＯＣ）の最下位ビット（ＬＳＢ）の値を有する、２つ以上の参照ピクチャを含んでいるとき、前記識別情報をコード化するために、前記機器が、第２のピクチャのスライスの前記スライスヘッダ中の１に等しい第１のシンタックス要素をコード化するように更に構成され、
前記復号ピクチャバッファが、「参照のために使用される」とマークされ、前記第１のピクチャと同じ前記ＰＯＣＬＳＢ値を有する、２つ以上のピクチャを含んでいないとき、前記識別情報をコード化するために、前記機器が、前記スライスヘッダ中の０に等しい前記第１のシンタックス要素をコード化するように更に構成され、
前記第１のシンタックス要素が１に等しいとき、前記識別情報をコード化するために、前記機器が、前記第１のピクチャのＰＯＣ値の最上位ビット（ＭＳＢ）を示す第２のシンタックス要素をコード化するように更に構成され、
長期参照ピクチャとして前記第１のピクチャを使用して前記第２のピクチャをコード化することと
を行うように更に構成された、請求項１１に記載の機器。
【請求項１３】
前記機器は、
前記複数のピクチャのピクチャ順序カウント（ＰＯＣ）値の最下位ビット（ＬＳＢ）の値が前記ピクチャコード化順序で非減少又は非増加のいずれかであるように、前記ＬＳＢの前記値をコード化することと
を行うように更に構成された、請求項１１に記載の機器。
【請求項１４】
前記ＬＳＢの前記値をコード化するために、前記機器は、ｊ及びｋが、０から、前記シーケンスパラメータセットから導出された長期参照ピクチャの数−１までの範囲内の整数である場合、ｊ及びｋの任意の値について、前記スライスヘッダ中で信号伝達される参照ピクチャのリスト中の位置ｊにおける前記複数のピクチャの第１のピクチャの前記ＰＯＣ値の前記ＬＳＢが、参照ピクチャの前記リスト中の位置ｋにおける前記複数のピクチャの第２のピクチャの前記ＰＯＣ値の前記ＬＳＢ以上又は参照ピクチャの前記リスト中の位置ｋにおける前記複数のピクチャの第２のピクチャの前記ＰＯＣ値の前記ＬＳＢ以下であるように、前記ＬＳＢの前記値をコード化するように構成された、請求項１３に記載の機器。
【請求項１５】
実行されたとき、プロセッサに、請求項１〜１０のいずれか1項の方法を実行させる命令を記憶したコンピュータ可読記憶媒体。